(57)【特許請求の範囲】
【請求項１】
複数の対撚り線心と同軸ケーブルとを備える映像伝送ケーブルにおいて、前記対撚り線心と前記同軸ケーブルとが交互に並列配置され、平型に形成されていることを特徴とする映像伝送ケーブル。
【発明の詳細な説明】
【０００１】
【発明の属する技術分野】
本発明は、映像伝送ケーブルに関するものであって、特にコードリール化することのできる映像伝送ケーブルに関するものである。
【０００２】
【従来の技術】
一般に、映像伝送用のケーブルは、複数本のＲＧＢ信号用同軸ケーブルと水平・垂直同期信号用ケーブルや予備信号用ケーブルの対撚り線心を束ねて形成されている。
【０００３】
図２には、従来の映像伝送ケーブルが示されている。
図において、映像伝送ケーブル１は、同軸ケーブル２と、対撚り線心３とで構成されている。この映像伝送ケーブル１の同軸ケーブル２は、ＲＧＢ信号用７５Ω同軸ケーブルが３本設けられていて、対撚り線心３は、水平・垂直同期信号用対撚り線心と予備信号用対撚り線心とが二対ずつ設けられて構成されている。そして、これらの同軸ケーブル２と対撚り線心３とが束ねられてシース押出しによって断面円形状に形成されている。
【０００４】
【発明が解決しようとする課題】
しかしながら、このような映像伝送ケーブルには次のような問題があった。
すなわち、従来の映像伝送ケーブル１の対撚り線心３の水平・垂直同期信号用ケーブルは二対設けられているが、この二対の対撚り線心３は、お互いの緩衝を避けるためにピッチを変更させていることが多かった。このため、この映像伝送ケーブル１を長距離にわたって使用すると、対の長さの違いによる同期信号のずれが生じる場合があった。
【０００５】
また、この映像伝送ケーブル１は丸型に形成されていたので、最小曲げ半径が大きかった。このため、この映像伝送ケーブル１を円筒形状のコードリールに渦巻き状に巻取りをしようとする場合、デッドスペースが大きくなってしまい、コードリールに収納することが困難となっていた。
【０００６】
本発明の目的は、長距離にわたって使用することができ、かつコードリール収納することができる映像伝送ケーブルを提供することにある。
【０００７】
【課題を解決するための手段】
上記目的を達成するために、請求項１に記載の映像伝送ケーブルは、複数の対撚り線心と同軸ケーブルとを備える映像伝送ケーブルにおいて、前記対撚り線心と前記同軸ケーブルとが交互に並列配置され、平型に形成されていることを特徴としている。
このように請求項１に記載の発明によると、長距離にわたって使用することが可能で、最小曲げ半径が小さく、コードリール収納可能な映像伝送ケーブルを提供することができる。
【０００８】
【発明の実施の形態】
以下、本発明に係る映像伝送ケーブルの一実施の形態について説明する。
図１には、本発明に係る映像伝送ケーブルの端面図が示されている。
図において、映像伝送ケーブル１０は、平型に形成されていて、複数本の同軸ケーブル１１と、対撚り線心１２と、これらを一括して被覆するシース１３からなっている。本実施の形態において、この同軸ケーブル１１は３本設けられていて、対撚り線心１２は４本設けられている。
【０００９】
この同軸ケーブル１１は、内部導体１４と、該内部導体１４の上に形成された内部絶縁体１５とを有していて、該内部絶縁体１５の外側には外部導体１６が設けられている。そして、この外部導体１６は外部被覆１７に覆われている。本実施の形態における映像伝送ケーブル１０は、このような同軸ケーブル１１が３本並列に配置されていて、４本の前記対撚り線心１２が同軸ケーブル１１と交互に並列配置されている。
【００１０】
ここで、本発明に係る映像伝送ケーブル１０の同軸ケーブル１１と対撚り線心１２とをこのように交互に配置するのは、同軸ケーブル１１に設けられた外部導体１６が遮蔽効果を有しているからである。対撚り線心１２同士の間に見通しで同軸ケーブル１１の外部導体１６を設けることによって、導電体である外部導体１６の遮蔽効果で対撚り線心１２同士が緩衝（クロストーク）するのを抑制することができる。
【００１１】
すなわち、対撚り線心１２は、外部導体１６の遮蔽効果によって緩衝することがなくなるため、対撚り線心１２同士のピッチを変える必要がなくなるので、映像伝送ケーブル１０を長距離において使用する場合でも、同期信号ずれが起こるのをなくすことができる。
【００１２】
また、前記対撚り線心１２は緩衝することがなくなり、ピッチを変更させる必要がないので、４本の各対撚り線心１２のピッチを同一とすることができる。すなわち、４本の対撚り線心１２のうち、どの対撚り線心１２をどの信号に使用してもよいことになる。また、この場合、一般的に映像伝送ケーブル１０の終端にはＤ−ｓｕｂ１５コネクタが接続されるので、このコネクタのピン配列に合わせて、作業者がどの対撚り線心をどの信号に使用するか選択することができる。すなわち、本実施の形態においては、４本の対撚り線心１２のうち、いずれか２本を水平・垂直同期信号用対撚り線心として、他の２本を予備信号用対撚り線心に使用させる。
【００１３】
ところで、このようにして形成された映像伝送ケーブル１０は、平型ケーブルの形状となっているので、映像伝送ケーブル１０の長手方向における可とう性を良好とすることができ、丸型のケーブルに対して最小曲げ半径も小さくすることが可能となる。すなわち、本発明の映像伝送ケーブル１０は、円筒形状のリールに渦巻き状に容易にかつ省スペースにて巻取り収納することができる。
【００１４】
本発明に係る映像伝送ケーブル１０の製造方法は、同軸ケーブル１１と対撚り線心１２とを交互に並列配置してシース押出しをすることで形成させることができる。すなわち、従来の丸型のケーブルのように、同軸ケーブル１１を３本、対撚り線心１２を４本集合させて、大型の撚り機等を用いて適当なピッチで撚り合わせシース押出しをする方法よりも、容易でかつ低コストの映像伝送ケーブルを形成させることができるようになる。
【００１５】
なお、本発明に係る映像伝送ケーブル１０は、同軸ケーブル１１の特性が７５ΩであるＲＧＢ信号用ケーブルについて説明したが、７５Ωのアプリケーションであれば映像伝送以外に使用することもできるものとする。また、本発明の映像伝送ケーブルは、内線の構成を変更させることによって、ＵＳＢケーブルやＣＡＴ．７ケーブル、ＩＥＥＥ１３９４ケーブル等に応用して使用することができる。
【００１６】
また、本発明の映像伝送ケーブルは、必要に応じて映像伝送ケーブル全体をシールドして編組やアルミテープ等を施すことも可能である。
【００１７】
なお、本実施の形態における映像伝送ケーブルは、３本の同軸ケーブルと４本の対撚り線心で構成されていたが、これに限るものではなく、対撚り線心と同軸ケーブルとを交互に並列配置して、平型状に形成された映像伝送ケーブルであれば、同軸ケーブル及び対撚り線心が他の本数であっても、同様の効果を得ることができるものとする。
【００１８】
【発明の効果】
本発明は、以上説明したように構成されているので、以下に記載されるような効果を奏する。
【００１９】
請求項１に記載の発明によれば、同軸ケーブルと対撚り線心とを交互にかつ並列に配置したので、同軸ケーブルの外部導体の遮蔽効果によって、対撚り線心同士の緩衝（クロストーク）を抑制することができるので、対撚り線心同士のピッチの変更が不要となり、長距離にわたって映像伝送ケーブルを使用することができるようになる。
【００２０】
また、映像伝送ケーブルを平型ケーブルとしたので、長手方向の可とう性に優れ、コードリール化が容易となると共に、最小曲げ半径も小さく、省スペースにて巻取り収納することができるようになる。
【図面の簡単な説明】
【図１】本発明に係る映像伝送ケーブルの一実施の形態を示す端面図である。
【図２】従来の映像伝送ケーブルを示す端面図である。
【符号の説明】
１０…………………………映像伝送ケーブル
１１…………………………同軸ケーブル
１２…………………………対撚り線心
１３…………………………シース
１４…………………………内部導体
１５…………………………内部絶縁体
１６…………………………外部導体
１７…………………………外部被覆
【図１】
0003701247.tif 000002
【図２】
0003701247.tif 000003